(57)【要約】【課題】下りリンクの送信電力（送信出力）を適切に設定し、移動局（ユーザ装置）の頻繁なハンドオーバーの発生を防止することができる基地局装置を提供する。【解決手段】移動通信システムにおける移動局と無線通信を行うスモールセル基地局に設けられる基地局装置であって、スモールセル基地局がマクロセル内に又はマクロセルに隣接して配置されている場合に、移動局がマクロセルからスモールセルへハンドインする際にマクロセル基地局からハンドオーバー要求を受信したタイミングと該スモールセルへのハンドオーバーが失敗した旨の情報をマクロセル基地局から受信したタイミングとの時間間隔を測定する測定手段と、測定手段で測定した時間間隔に基づいて下りリンクの送信電力の設定を下げるように制御する制御手段とを備える。【選択図】図７
2016111462.tif 000002
【特許請求の範囲】
【請求項１】
移動通信システムにおける移動局と無線通信を行うスモールセル基地局に設けられる基地局装置であって、
前記スモールセル基地局がマクロセル内に又はマクロセルに隣接して配置されている場合に、移動局が該マクロセルからスモールセルへハンドインする際にマクロセル基地局からハンドオーバー要求を受信したタイミングと該スモールセルへのハンドオーバーが失敗した旨の情報を該マクロセル基地局から受信したタイミングとの時間間隔を測定する測定手段と、
前記測定手段で測定した前記時間間隔に基づいて下りリンクの送信電力の設定を下げるように制御する制御手段と、を備えることを特徴とする基地局装置。
【請求項２】
移動通信システムにおける移動局と無線通信を行うスモールセル基地局に設けられる基地局装置であって、
前記スモールセル基地局がマクロセル内に又はマクロセルに隣接して配置されている場合に、移動局が該マクロセルからスモールセルへハンドインした際に接続設定信号を該移動局に送信したタイミングと該移動局の該スモールセルからのハンドアウトに伴ってハンドオーバー要求をマクロセル基地局に送信したタイミングとの間の時間間隔を測定する測定手段と、
前記測定手段で測定した前記時間間隔に基づいて下りリンクの送信電力の設定を下げるように制御する制御手段と、を備えることを特徴とする基地局装置。
【請求項３】
移動通信システムにおける移動局と無線通信を行う基地局に設けられる基地局装置であって、
自セルから隣接セルへのハンドアウトを早めるように自セルから隣接セルへのハンドオーバーのオフセットの設定を変更するときに、下りリンクの送信電力の設定を下げるように制御する制御手段を備えることを特徴とする基地局装置。
【発明の詳細な説明】
【技術分野】
【０００１】
本発明は、移動通信の基地局装置に関するものである。
【背景技術】
【０００２】
従来、移動通信において自セルに在圏する移動局（以下、適宜「ユーザ装置」（ＵＥ：User Equipment）ともいう。）がデータ通信等を継続した状態で隣接する基地局のセルに移動するときにハンドオーバー（ＨＯ）処理を行う基地局装置が知られている（例えば、非特許文献１、２参照）。
また、近年のトラフィック急増に対応すべく、例えばＬＴＥ（Long Term Evolution）方式の移動通信システムにおいて、従来のマクロセル基地局（以下、適宜「ＭｅＮＢ」ともいう。）やピコ基地局（以下、適宜「ＰｅＮＢ」ともいう。）よりさらにセル半径が小さいスモールセル基地局（以下、適宜「小型基地局」、「Ｈｏｍｅ  ｅＮＢ」又は「ＨｅＮＢ」ともいう。）の需要が高まっている。このようなＬＴＥ方式の移動通信システムのサービス開始に伴い、高速データ通信が可能となり、多様なサービスを提供することが可能となってきている。
【発明の概要】
【発明が解決しようとする課題】
【０００３】
一般的にＨｅＮＢは屋内の限られたスペース（個宅、店舗等）にエリアを形成する目的で置局され、屋外エリアは主にＭｅＮＢまたはＰｅＮＢにより形成される。そのため、ＨｅＮＢが送信する下り信号は屋外に漏洩しないことが望ましい。しかしながら、ＨｅＮＢの出力や設置場所によっては下り信号が屋外に漏洩してしまう。この漏洩電力を高速移動中のＵＥが受信すると、一瞬ＭｅＮＢからＨｅＮＢにハンドオーバー（ＨＯ）し、すぐさまＭｅＮＢにＨＯする。この事象は通常のＨＯと比べ失敗となる確率が高く、ユーザー満足度低下の要因となる。そのため、このようなＵＥの頻繁なＨＯの発生を防止することが課題になっている。
【０００４】
また、ＬＴＥの最大理論スループットは１００［Ｍｂｐｓ］超（周波数帯域幅（ＢＷ）：１５［ＭＨｚ］、２ｘ２  ＭＩＭＯ（multiple-input and multiple-output）時）にも達するが、実際のサービスにおいては、これを複数のアクティブユーザーでシェアするため、１ユーザー当たりのスループット（以下、「ユーザースループット」ともいう。）は数乃至数十［Ｍｂｐｓ］程度となる。とりわけユーザーが過度に集中するセルでは、ユーザースループットはさらに低下し、ユーザー満足度低下の要因となる。このようなユーザスループットの低下を解消する目的で、基地局装置における負荷分散機能（ＭＬＢ：Mobility Load Balancing）が提案されている（例えば、非特許文献３参照）。この負荷分散機能（ＭＬＢ）は主に高負荷の基地局において、ハンドオーバー関連のパラメータを変更し、セルエッジのＵＥを隣接セルへハンドオーバー（ハンドアウト）させることで、自セルの負荷を下げる機能である。しかしながら、本来各基地局の受信信号レベルに応じて適切に在圏させているＵＥを強制的にハンドアウトさせると、ハンドアウト後のＵＥは高い干渉を受けることとなる。また、ＵＥがセル中心付近に集中している場合、ハンドオーバーパラメータの調整だけではＵＥをハンドアウトさせることができない。そのため、ハンドアウト後のＵＥが高い干渉を受けることなく、基地局装置における適切な負荷分散を実現することが課題になっている。
【課題を解決するための手段】
【０００５】
上記課題を解決するため、本発明の一態様に係る基地局装置は、移動通信システムにおける移動局と無線通信を行うスモールセル基地局に設けられる基地局装置であって、前記スモールセル基地局がマクロセル内に又はマクロセルに隣接して配置されている場合に、移動局が該マクロセルからスモールセルへハンドインする際にマクロセル基地局からハンドオーバー要求を受信したタイミングと該スモールセルへのハンドオーバーが失敗した旨の情報を該マクロセル基地局から受信したタイミングとの時間間隔を測定する測定手段と、前記測定手段で測定した前記時間間隔に基づいて下りリンクの送信電力の設定を下げるように制御する制御手段と、を備える。
また、上記課題を解決するため、本発明の他の一態様に係る基地局装置は、移動通信システムにおける移動局と無線通信を行うスモールセル基地局に設けられる基地局装置であって、前記スモールセル基地局がマクロセル内に又はマクロセルに隣接して配置されている場合に、移動局が該マクロセルからスモールセルへハンドインした際に接続設定信号を該移動局に送信したタイミングと該移動局の該スモールセルからのハンドアウトに伴ってハンドオーバー要求をマクロセル基地局に送信したタイミングとの間の時間間隔を測定する測定手段と、前記測定手段で測定した前記時間間隔に基づいて下りリンクの送信電力の設定を下げるように制御する制御手段と、を備える。
前記基地局装置それぞれにおいて、前記制御手段は、前記時間間隔ｔ［ｓｅｃ］が予め設定した閾値Ｔｔｈ［ｓｅｃ］より小さい又は閾値Ｔｔｈ［ｓｅｃ］以下の場合に、前記下りリンクの送信電力の設定を下げるように変更してもよい。
また、前記各基地局装置それぞれにおいて、前記制御手段は、前記時間間隔ｔ［ｓｅｃ］が予め設定した閾値Ｔｔｈ［ｓｅｃ］より小さい又は閾値Ｔｔｈ［ｓｅｃ］以下になったことが、予め設定した所定時間の間に所定回数よりも多く又は所定回数以上発生したと判断した場合に、前記下りリンクの送信電力の設定を下げるように変更してもよい。
また、前記基地局装置それぞれにおいて、前記制御手段は、前記下りリンクの送信電力の設定を下げるとともに、前記スモールセルから前記マクロセルへのハンドアウトを遅らせるように該スモールセルから該マクロセルへのハンドオーバーのオフセット（Ｏｃｎ）の設定を変更してもよい。
【０００６】
また、上記課題を解決するため、本発明の一態様に係る基地局装置は、移動通信システムにおける移動局と無線通信を行う基地局に設けられる基地局装置であって、自セルから隣接セルへのハンドアウトを早めるように自セルから隣接セルへのハンドオーバーのオフセット（Ｏｃｎ）の設定を変更するときに、下りリンクの送信電力の設定を下げるように制御する制御手段を備える。
前記基地局装置において、自セルの負荷情報Ｌ１を取得する情報取得手段を備え、前記制御手段は、自セルの負荷Ｌ１が所定の負荷よりも高い場合に、前記ハンドオーバーのオフセット及び前記下りリンクの送信電力の設定を下げるように制御してもよい。
また、前記基地局装置において、自セルの負荷情報Ｌ１と隣接セルの負荷情報Ｌ２とを取得する情報取得手段を備え、前記制御手段は、Ｌ１とＬ２との差分（Ｌ１−Ｌ２）が予め設定した閾値Ｌｔｈよりも大きい又はＬｔｈ以上の場合に、前記ハンドオーバーのオフセット及び前記下りリンクの送信電力の設定を下げるように制御してもよい。ここで、前記制御手段は、所定時間内に前記Ｌ１とＬ２との差分（Ｌ１−Ｌ２）が予め設定した閾値Ｌｔｈよりも大きい又はＬｔｈ以上になったときにカウンタｎをインクリメントし、そのカウンタｎの値が所定回数Ｎｉｎｃよりも多く又は所定回数Ｎｉｎｃ以上の場合に、前記ハンドオーバーのオフセット及び前記下りリンクの送信電力の設定を下げるように制御してもよい。
また、前記基地局装置において、前記制御手段は、ハンドオーバーのオフセット（Ｏｃｎ）の設定変更を行わずに前記下りリンクの送信電力の設定を下げる制御のみを行ってもよいし、ハンドオーバーのオフセット（Ｏｃｎ）の設定変更を優先的に行い、オフセット（Ｏｃｎ）が所定の最大値又は最小値になった後に前記下りリンクの送信電力の設定を下げる制御を行ってもよい。
また、前記基地局装置において、前記制御手段は、自セルから隣接セルへのハンドアウトを遅らせるように自セルから隣接セルへのハンドオーバーのオフセット（Ｏｃｎ）の設定を変更する場合に、下りリンクの送信電力の設定を上げるように制御してもよい。ここで、前記制御手段は、自セルの負荷Ｌ１が所定の負荷よりも低い場合に、前記自セルから隣接セルへのハンドアウトを遅らせる自セルから隣接セルへのハンドオーバーのオフセット（Ｏｃｎ）の設定変更と、前記下りリンクの送信電力の設定を上げる制御とを行ってもよい。また、前記制御手段は、Ｌ２とＬ１との差分（Ｌ２−Ｌ１）が予め設定した閾値Ｔｄｅｃよりも大きい又はＴｄｅｃ以上の場合に、前記自セルから隣接セルへのハンドアウトを遅らせる自セルから隣接セルへのハンドオーバーのオフセット（Ｏｃｎ）の設定変更と、前記下りリンクの送信電力の設定を上げる制御とを行ってもよい。また、前記制御手段は、前記所定時間内に前記Ｌ２とＬ１との差分（Ｌ２−Ｌ１）が予め設定した閾値Ｔｄｅｃよりも大きい又はＴｄｅｃ以上になったときに前記カウンタ（ｎ）をデクリメントし、そのカウンタｎの値が所定回数Ｎｄｅｃよりも少なく又はそのカウンタｎの値が以下の場合に、前記自セルから隣接セルへのハンドアウトを遅らせる自セルから隣接セルへのハンドオーバーのオフセット（Ｏｃｎ）の設定変更と、前記下りリンクの送信電力の設定を上げる制御とを行ってもよい。また、前記制御手段は、ハンドオーバーのオフセット（Ｏｃｎ）の設定変更を行わずに前記下りリンクの送信電力の設定を上げる制御のみを行ってもよいし、ハンドオーバーのオフセット（Ｏｃｎ）の設定変更を優先的に行い、オフセット（Ｏｃｎ）が所定の最大値又は最小値になった後に前記下りリンクの送信電力の設定を上げる制御を行ってもよい。
また、前記基地局装置は、スモールセル基地局の基地局装置であってもよいし、マクロセル基地局の基地局装置であってもよい。
【発明の効果】
【０００７】
本発明によれば、下りリンクの送信電力（送信出力）を適切に設定し、移動局（ユーザ装置）の頻繁なハンドオーバーの発生を防止することができるという効果を奏する。
また、本発明によれば、下りリンクの送信電力（送信出力）を適切に設定し、ハンドアウト後の移動局（ユーザ装置）干渉を低減するとともに、適切な負荷分散を実現することができるという効果を奏する。
【図面の簡単な説明】
【０００８】
【図１】本発明の一実施形態に係る基地局装置を有する基地局が配置された移動通信システムの概略構成を示す説明図。
【図２】（ａ）は本実施形態の移動通信システムで通信可能なユーザ装置の要部の概略構成の一例を示す機能ブロック図。（ｂ）は本実施形態のスモールセル基地局を構成する基地局装置の要部の概略構成の一例を示す機能ブロック図。
【図３】（ａ）〜（ｄ）は一般的な移動通信システムにおけるハンドオーバーの種類を示す説明図。
【図４】図３（ａ）のハンドオーバーの場合の動作例を示すフローチャート。
【図５】同ハンドオーバーの場合の動作例を示すフローチャート及びシーケンス図。
【図６】本発明の第１の実施形態に係るハンドオーバー時における下りリンクの送信電力の制御例を示す説明図。
【図７】同下りリンクの送信電力の制御例を示すシーケンス図。
【図８】本発明の第２の実施形態に係るハンドオーバー時における下りリンクの送信電力の制御例を示す説明図。
【図９】同下りリンクの送信電力の制御例を示すシーケンス図。
【図１０】負荷分散機能（ＭＬＢ）を示す説明図。
【図１１】（ａ）〜（ｃ）は負荷分散機能（ＭＬＢ）を適用する場合の課題を説明するための説明図。
【図１２】本発明の第３の実施形態に係る負荷分散機能（ＭＬＢ）の実行時における下りリンクの送信電力の制御例を示す説明図。
【図１３】同下りリンクの送信電力の制御例を示すフローチャート。
【図１４】基地局間で負荷情報を送受信するときの通信制御の一例を示すシーケンス図。
【図１５】本発明の第４の実施形態に係る負荷分散機能（ＭＬＢ）の実行時における下りリンクの送信電力の制御例を示すフローチャート。
【図１６】本発明の第５の実施形態に係る負荷分散機能（ＭＬＢ）の実行時における下りリンクの送信電力の制御例を示すフローチャート。
【発明を実施するための形態】
【０００９】
以下、図面を参照して本発明の実施形態について説明する。
図１は、本発明の一実施形態に係る基地局装置を有する基地局が配置された移動通信システムの概略構成を示す説明図である。図１において、本実施形態の移動通信システムは、ＬＴＥの仕様に準拠した通信システムであり、マクロセル基地局１０，１１，１２と、その一つのマクロセル基地局１０の無線通信エリアであるマクロセル１０Ａ内に位置するスモールセル基地局２０とを備える。スモールセル基地局２０の無線通信エリアであるスモールセル２０Ａは、マクロセル１０Ａの内側に含まれている。図示の例では、移動局であるユーザ装置（ＵＥ）３０はスモールセル２０Ａに在圏しており、スモールセル基地局２０と間で電話やデータ通信などのための無線通信が可能な状態にある。また、ユーザ装置３０は、マクロセル１０Ａの内部であってスモールセル２０Ａの外縁部（マクロセル１０Ａとの境界部）に位置しているため、ユーザ装置３０から発した無線信号がマクロセル基地局１０に到達したりマクロセル基地局１０から発した無線信号がユーザ装置３０に到達したりする状況にある。また、スモールセル基地局２０の周辺に位置する基地局としては、マクロセル基地局１０のほかマクロセル基地局１１，１２がある。
【００１０】
なお、図１では、３つのマクロセル基地局１０，１１，１２と１つのスモールセル基地局２０と１つのユーザ装置３０とを図示しているが、マクロセル基地局は２以下又は４以上であってもよく、スモールセル基地局及びユーザ装置はそれぞれ複数であってもよい。また、以下の実施形態では、後述の処理や制御をスモールセル基地局２０が行う場合について説明するが、同様な処理や制御はマクロセル基地局１０などの他の基地局が行ってもよい。また、３つのマクロセル基地局１０，１１，１２に共通する部分については、マクロセル基地局１０として説明する。
【００１１】
マクロセル基地局１０は、移動体通信網において屋外に設置されている通常の半径数百ｍ乃至数ｋｍ程度の広域エリアであるマクロセルをカバーする広域の基地局であり、「マクロセル基地局」、「Ｍａｃｒｏ  ｅ−Ｎｏｄｅ  Ｂ」、「ＭｅＮＢ」等と呼ばれる場合もある。マクロセル基地局１０は、他の基地局と例えば有線の通信回線で接続され、所定の通信インターフェースで通信可能になっている。また、マクロセル基地局１０は、回線終端装置及び専用回線を介して移動体通信網のコアネットワークに接続され、移動体通信網内の各種ノードとの間で所定の通信インターフェースにより通信可能になっている。
【００１２】
スモールセル基地局２０は、広域のマクロセル基地局とは異なり、無線通信可能距離が数ｍ乃至数百ｍ程度であり、一般家庭、店舗、オフィス等の屋内にも設置することができる移動設置可能な基地局である。スモールセル基地局２０は、移動体通信網における広域のマクロセル基地局がカバーするエリアよりも小さなエリアをカバーするように設けられるため「フェムト基地局」と呼ばれたり、「Ｈｏｍｅ  ｅ−Ｎｏｄｅ  Ｂ」や「Ｈｏｍｅ  ｅＮＢ」と呼ばれたりする場合もある。スモールセル基地局２０についても、回線終端装置及びＡＤＳＬ（Asymmetric Digital Subscriber Line）回線や光回線等のブロードバンド公衆通信回線を介して移動体通信網のコアネットワークに接続され、コアネットワーク上の各種ノードとの間で所定の通信インターフェースにより通信可能になっている。
【００１３】
ユーザが使用する移動局としてのユーザ装置（ＵＥ）３０は、マクロセル１０Ａやスモールセル２０Ａに在圏するときに、その在圏するセルに対応するマクロセル基地局１０やスモールセル基地局２０と間で所定の通信方式及びリソースを用いて無線通信することができる。
【００１４】
図２（ａ）は本実施形態の移動通信システムで通信可能なユーザ装置３０の要部の概略構成の一例を示す機能ブロック図である。また、図２（ｂ）は本実施形態のスモールセル基地局２０を構成する基地局装置２００の要部の概略構成の一例を示す機能ブロック図である。なお、スモールセル基地局２０の周辺に位置するマクロセル基地局１０の基地局装置はスモールセル基地局２０と同様に構成することができるため、説明を省略する。
【００１５】
ユーザ装置３０は、例えばＣＰＵやメモリ等を有するコンピュータ装置、無線通信部などのハードウェアを用いて構成され、所定のプログラムが実行されることにより基地局１０，２０等との間の無線通信等を行うことができる。また、基地局装置２００は、例えばＣＰＵやメモリ等を有するコンピュータ装置、コアネットワークに対する外部通信インターフェース部、無線通信部などのハードウェアを用いて構成され、所定のプログラムが実行されることにより、後述するスモールセル基地局２０に隣接する周辺基地局のリストの記憶及び更新、下りリンクの送信電力の制御、干渉の抑制処理などの各種処理及び制御を実行したり、ユーザ装置３０との間の無線通信を行ったりすることができる。
【００１６】
図２（ａ）において、ユーザ装置３０は、制御部３０１と送受共用器（ＤＵＰ：Duplexer）３０２と無線受信部３０３とＯＦＤＭ（Orthogonal Frequency Division Multiplexing）復調部３０４と受信品質測定部３０５と報知情報抽出部３０６とを備える。更に、ユーザ装置３０は、Measurement Report生成部３０７とＳＣ−ＦＤＭＡ（Single-Carrier Frequency-Division Multiple Access）変調部３０８と無線送信部３０９とを備える。
【００１７】
制御部３０１は、例えばコンピュータ装置で構成され、報知情報抽出部３０６で抽出された報知情報に基づいて各部を制御するとともに、受信品質測定部３０５で測定された下り信号受信品質の情報をMeasurement Report生成部３０７に渡す手段として機能する。
【００１８】
無線受信部３０３は、ＬＴＥに規定されているダウンリンク用のＯＦＤＭ方式で変調された無線信号を、アンテナ及び送受共用器３０２を介して、基地局１０，２０から受信する。
ＯＦＤＭ復調部３０４は、ＯＦＤＭ方式で変調されている無線信号を復調して受信信号を得る。
受信品質測定部３０５は、ＯＦＤＭ復調部３０４で復調された受信信号から、下りの無線信号を受信するときの下り受信品質（例えば、電界強度、受信レベルなど）を測定し、測定した下り受信品質の情報（ＲＳＲＰ：Reference Signal Received Power）を制御部３０１に渡す。
報知情報抽出部３０６は、ＯＦＤＭ復調部３０４で復調された受信信号から、基地局１０，２０が送信した報知情報（例えば、ＣＧＩやセルＩＤなどのセル識別情報、ＴＡＣなどの位置登録エリア情報、制御チャネル情報、ネットワークバージョン情報など）を抽出し、抽出した報知情報を制御部３０１に渡す。
Measurement Report生成部３０７は、制御部３０１から受け取った下り受信品質の情報（ＲＳＲＰ）及び報知情報に基づいて、ユーザ装置３０から周期的に送信する測定報告（Measurement Report）としての送信信号を生成する。
ＳＣ−ＦＤＭＡ変調部３０８は、ＬＴＥに規定されているアップリンク用のＳＣ−ＦＤＭＡ（単一キャリア周波数分割多重アクセス）方式を用いて、ベースバンドの各種送信信号を変調する。特に、本例では、ＳＣ−ＦＤＭＡ変調部３０８により、Measurement Report生成部３０７で生成されたMeasurement Reportの送信信号がＳＣ−ＦＤＭＡ方式で変調される。
無線送信部３０９は、ＳＣ−ＦＤＭＡ変調部３０８で変調されたMeasurement Reportなどの送信信号を、送受共用器３０２及びアンテナを介して、基地局１０，２０に送信する。
【００１９】
ここで、上記Measurement Reportは、ユーザ装置３０が基地局１０，２０に対して報告する下り電界強度（ＲＳＲＰ）、受信品質情報（ＲＳＲＱ）及び当該セルの周波数情報やセルＩＤ等のセル識別情報を含む送信信号である。Measurement Reportの送信用の物理チャネルとしては、例えば、ＬＴＥで規定されているアップリンク用共有チャネルであるＰＵＳＣＨ（Uplink Shared Channel）が用いられる。また、Measurement Reportの送信に使用される無線リソース（時間、周波数）は基地局１０，２０から指定される。
【００２０】
また、図２（ｂ）において、基地局装置２００は、送受共用器（ＤＵＰ）２０１と上り無線受信部２０２とＳＣ−ＦＤＭＡ復調部２０３とMeasurement Report抽出部２０４とを備える。更に、基地局装置２００は、送信電力などの制御を行う制御部２０５と下り信号生成部２０６とＯＦＤＭ変調部２０７と下り無線送信部２０８とを備える。なお、基地局装置２００にはアンテナを含めてもよい。
【００２１】
上り無線受信部２０２は、基地局２００と通信しているユーザ装置３０が送信する上り無線信号を、送受共用器２０１を介して受信する。この無線信号は、上り無線受信部２０２等で発生した白色雑音などの雑音信号や、前述のMeasurement Reportに設定されている所定の無線リソース及び物理チャネルにおける無線信号を含む。また、この無線信号は、スモールセル基地局２０に隣接しているマクロセル基地局１０と通信しているユーザ装置（ＭＵＥ）が存在している場合は、そのユーザ装置（ＭＵＥ）から送信された上り信号を含む。
ＳＣ−ＦＤＭＡ復調部２０３は、上り無線受信部２０２で受信した受信信号に対してＳＣ−ＦＤＭＡ方式の復調処理を実行する。
【００２２】
Measurement Report抽出部２０４は、ＳＣ−ＦＤＭＡ復調部２０３での復調処理で得られた上記所定の無線リソース及び物理チャネルにおける受信信号のうち、本構成の基地局装置２００を含む基地局と通信しているユーザ装置３０から送信されたMeasurement Reportに該当する情報を抽出し、制御部２０５に渡す。
【００２３】
また、制御部２０５は、ＲＡＭやＲＯＭなどのメモリを有し、ハンドオーバーに関する各種パラメータや下りリンクの送信電力などの各種設定情報を記憶する記憶手段として機能する。
【００２４】
また、制御部２０５は、次の（１）〜（５）に列挙するような各種手段としても機能する。なお、各手段における処理や制御のより具体的な例について後述する。
（１）スモールセル基地局２０がマクロセル１０Ａ内に又はマクロセル１０Ａに隣接して配置されている場合に、ユーザ装置３０がマクロセル１０Ａからスモールセル２０Ａへハンドインする際にマクロセル基地局１０からハンドオーバー要求を受信したタイミングとスモールセル２０Ａへのハンドオーバーが失敗した旨の情報をマクロセル基地局１０から受信したタイミングとの時間間隔を測定する測定手段。
（２）スモールセル基地局２０がマクロセル１０Ａ内に又はマクロセル１０Ａに隣接して配置されている場合に、ユーザ装置３０がマクロセル１０Ａからスモールセル２０Ａへハンドインした際に接続設定信号を該移動局に送信したタイミングと該移動局の該スモールセルからのハンドアウトに伴ってハンドオーバー要求をマクロセル基地局１０に送信したタイミングとの間の時間間隔を測定する測定手段。
（３）前記測定手段で測定した時間間隔に基づいて下りリンクの送信電力の設定を下げるように制御する制御手段。
（４）自セルから隣接セルへのハンドアウトを早めるように自セルから隣接セルへのハンドオーバーのオフセット（Ｏｃｎ）の設定を変更するときに、下りリンクの送信電力の設定を下げるように制御する制御手段。
（５）自セルの負荷情報Ｌ１を取得する情報取得手段、又は、自セルの負荷情報Ｌ１と隣接セルの負荷情報Ｌ２とを取得する情報取得手段。
【００２５】
下り信号生成部２０６は、自局のセル２０Ａに在圏しているユーザ装置３０に向けて送信する下り信号を生成する。
ＯＦＤＭ変調部２０７は、下り信号生成部２０６で生成した下り信号を、制御部２０５で決定した送信電力で送信されるように、ＯＦＤＭ方式で変調する。
下り無線送信部２０８は、ＯＦＤＭ変調部２１１で変調した送信信号を、送受共用器２０１及びアンテナを介して送信する。
【００２６】
次に、本実施形態の基地局装置における下りリンクの送信電力（送信出力）の設定を変更する制御（ＤＰＣ：Downlink power control）について説明する。
【００２７】
〔実施形態１〕
図３（ａ）〜（ｄ）は、一般的な移動通信システムにおけるハンドオーバーの種類を示す説明図である。移動通信システムにおけるハンドオーバー（ＨＯ）は、そのＨＯ先の周波数や無線アクセス方式により、下記の４種類に大別される（例えば、非特許文献１参照）。例えば、図３（ａ）は、同一周波数（例えば２．１ＧＨｚ帯）、同一無線アクセス方式（例えばＬＴＥ→ＬＴＥ）のＨＯを示している。後述する各実施形態の制御は、これらの４種類のハンドオーバーのいずれにも適用することができる。
図３（ａ）：Ｉｎｔｒａ  Ｆｒｅｑ／Ｉｎｔｒａ  ＲＡＴ  ＨＯ
図３（ｂ）：Ｉｎｔｅｒ  Ｆｒｅｑ／Ｉｎｔｒａ  ＲＡＴ  ＨＯ
図３（ｃ）：Ｉｎｔｒａ  Ｆｒｅｑ／Ｉｎｔｅｒ  ＲＡＴ  ＨＯ（ＣＳフォールバック含む）
図３（ｄ）：Ｉｎｔｅｒ  Ｆｒｅｑ／Ｉｎｔｅｒ  ＲＡＴ  ＨＯ（ＣＳフォールバック含む）
【００２８】
図４及び図５は、図３（ａ）のハンドオーバー（Ｉｎｔｒａ  Ｆｒｅｑ／Ｉｎｔｒａ  ＲＡＴ  ＨＯ）の場合の動作例を示すフローチャート及びシーケンス図である（例えば非特許文献２参照）。本動作例では、ＵＥ（ユーザ装置）から受信した信号強度であるパイロット信号電力（ＲＳＲＰ：Reference Signal Received Power）又は信号品質であるパイロット信号品質（ＲＳＲＱ：Reference Signal Received. Quality）に基づいて、ＨＯの必要有無を決定する。なお、図３（ｂ）〜（ｄ）のハンドオーバーにおいても動作原理は同じである。
【００２９】
図４の動作例では、次のＳＴ０１〜ＳＴ０７の手順でハンドオーバー（ＨＯ）が行われる。
ＳＴ０１：ＵＥは接続先となるＳｏｕｒｃｅ  ｅＮＢに在圏すると同時に、Ｓｅｒｖｉｎｇ  ｅＮＢ（ＳｅＮＢ）が送信する隣接セル情報を受信する。
ＳＴ０２：ＵＥは定期的にＳｅＮＢのパイロット信号電力（ＲＳＲＰ）Ｍｐを測定する。
ＳＴ０３：ＵＥはＭｐと予め定められた第一の閾値（Ｔｈ１）を比較する。Ｍｐのほうが小さい場合、ＳＴ０４に遷移する。
ＳＴ０４：ＵＥはＭｐに加え、ＳＴ０１にて取得した隣接セル情報に基づき、当該隣接セルのＲＳＲＰ（Ｍｎ）を測定する。
ＳＴ０５：ＭｎとＭｐが所定のハンドオーバ判定式を満足した場合、ＳＴ０６に遷移する。
ＳＴ０６：ＵＥはＭｐおよびＭｎをＳｅＮＢに報告する。
ＳＴ０７：ＳｅＮＢがＵＥから報告されたＭｐおよびＭｎに基づき、ＨＯ実行を判断する。
【００３０】
上記ハンドオーバ判定式は例えば次の式が用いられる。
【数１】
2016111462.tif 000003
【００３１】
一般的なハンドオーバ時の品質を向上するＭＲＯ（Mobility Robustness Optimization）では、上記ハンドオーバー判定式内のパラメータの一つであるオフセットＯｃｎの値を次のように設定してハンドオーバのタイミングを調整する（非特許文献２参照）
・Ｏｃｎ増：ハンドオーバーし易くなる（ハンドオーバーのタイミングが早くなる）。
・Ｏｃｎ減：ハンドオーバーし難くなる（ハンドオーバーのタイミングが遅くなる）。
【００３２】
上記動作例で示した一般的なハンドオーバーでは、スモールセル基地局（ＨｅＮＢ）のＲＳＲＰが強いエリアが屋内に閉じていた場合、ユーザーが屋内に出入りする際にＨＯが発生するため、ＨＯ失敗が起こりにくい。
また、スモールセル基地局（ＨｅＮＢ）のＲＳＲＰが強いエリアが屋内に漏れた場合、ユーザーが一瞬スモールセルに在圏し、直後に周辺のマクロセルへＨＯするため、ＨＯ失敗が起こりやすい。
スモールセル基地局（ＨｅＮＢ）が瞬間的なハンドイン−ハンドアウトに起因するＨＯ失敗を検知した場合、上記オフセット（Ｏｃｎ）の値を小さくし、ＨＯのタイミングを遅らせることで、ＨＯ失敗を防止することができる。
しかしながら、上記従来のＭＲＯでは、ユーザーが自動車で移動している場合のように高速で移動するＵＥのＨＯ失敗を解消できない。
【００３３】
そこで、本実施形態に係るスモールセル基地局２０の基地局装置２００では、以下に示すように従来のオフセット（Ｏｃｎ）の調整に加えて、下りリンクの送信電力の設定を下げるように制御することにより、屋外への電波漏洩による誤ハンドオーバー（ＨＯ）の発生すなわちＵＥ（ユーザ装置）３０の頻繁なハンドオーバーの発生を確実に防ぎ、ハンドオーバーの成功率を上げている。
【００３４】
図６は、本発明の第１の実施形態に係るハンドオーバー時における下りリンクの送信電力の制御例を示す説明図である。また、図７は、同下りリンクの送信電力の制御例を示すシーケンス図である。なお、図６及び図７において、基地局ｅＮＢ２がマクロセル基地局１０であり、基地局ｅＮＢ１がそのマクロセル１０Ａ内に設置されたスモールセル基地局２０である。
【００３５】
本制御例では、次の手順（１）〜（５）に示すように、ｅＮＢ１は、ｅＮＢ２からのＨＯ要求信号（ＨＡＮＤＯＶＥＲ  ＲＥＱＵＥＳＴ）の受信タイミングとＨＯが失敗した旨の情報（ＲＬＦ  ＩＮＤＩＣＡＴＩＯＮ）の受信タイミングとの間の時間間隔（ｔ［ｓｅｃ］）を測定し、その時間間隔（ｔ［ｓｅｃ］）が所定よりも短い現象が短時間で頻発するようであれば、自局の下りリンクの送信電力（下り送信出力）を下げるように制御する。
【００３６】
（１）ｅＮＢ１はｅＮＢ２のセルに在圏中のＵＥからのＨａｎｄ−ｉｎに伴い、ｅＮＢ２からハンドオーバ要求（ＨＡＮＤＯＶＥＲ  ＲＥＱＵＥＳＴ）を受け取る。同時に、ｅＮＢ１はタイマーを起動する。
（２）ＵＥのＨＯが失敗した場合、ｅＮＢ１はｅＮＢ２からＨＯを失敗した旨の信号（ＲＬＦ  ＩＮＤＩＣＡＴＩＯＮ）を受け取る。同時に、ｅＮＢ１はタイマーを停止する。
（３）当該タイマー値（ｔ１）が所定の閾値（Ｔｔｈ）より小さい場合、ｅＮＢ１は高速ＵＥを検出したと見なし、カウンターをインクリメントする。
（４）当該カウンター値が単位時間内に所定の値に達した場合、ｅＮＢ１は下りリンクの送信電力（下り送信信号出力）の設定を下げる。
（５）一方、当該カウンター値が単位時間内に所定の値に達しなかった場合、ｅＮＢ１は下りリンクの送信電力（下り送信信号出力）の設定を初期値に戻す。
【００３７】
上記図６及び図７の制御例によれば、スモールセル基地局２０の基地局装置２００が従来のオフセット（Ｏｃｎ）の調整に加えて、下りリンクの送信電力の設定を下げるように制御している。これにより、屋外への電波漏洩による誤ハンドオーバー（ＨＯ）の発生すなわちＵＥ（ユーザ装置）３０の頻繁なハンドオーバーの発生を確実に防ぎ、ハンドオーバーの成功率を上げることができる。
【００３８】
なお、上記図６及び図７の制御例の手順（３）において、上記タイマー値（ｔ１）が所定の閾値（Ｔｔｈ）以下の場合に、高速ＵＥを検出したと見なし、カウンターをインクリメントしてもよい。
また、上記手順（４）において、上記カウンター値が単位時間内に所定の値よりも大きくなった場合に、下りリンクの送信電力（下り送信信号出力）の設定を下げるようにし、当該カウンター値が単位時間内に所定の値以下になった場合に、下りリンクの送信電力（下り送信信号出力）の設定を初期値に戻すようにしてもよい。
また、上記図６及び図７の制御例において、上記タイマーを用いずに、上記時間間隔ｔ［ｓｅｃ］が予め設定した閾値Ｔｔｈ［ｓｅｃ］より小さい又は閾値Ｔｔｈ［ｓｅｃ］以下の場合に、下りリンクの送信電力（下り送信信号出力）の設定を下げるようにしてもよい。
【００３９】
〔実施形態２〕
図８は、本発明の第２の実施形態に係るハンドオーバー時における下りリンクの送信電力の制御例を示す説明図である。また、図９は、同下りリンクの送信電力の制御例を示すシーケンス図である。なお、図８及び図９において、基地局ｅＮＢ２がマクロセル基地局１０であり、基地局ｅＮＢ１がそのマクロセル１０Ａ内に設置されたスモールセル基地局２０である。
【００４０】
本制御例では、次の手順（１）〜（５）に示すように、ｅＮＢ１は、ＵＥがＨａｎｄ−ｉｎした際に送信する接続設定信号（ＲＲＣＣｏｎｎｅｃｔｉｏｎＳｅｔｕｐ）の送信タイミングと、当該ＵＥのＨａｎｄ−ｏｕｔに伴いｅＮＢ２に送信するハンドオーバー要求（ＨＡＮＤＯＶＥＲ  ＲＥＱＵＥＳＴ）の送信タイミングとの間の時間間隔（ｔ［ｓｅｃ］）を測定し、これが短時間で頻発するようであれば、自局の下り出力を下げるように制御する。
【００４１】
（１）ｅＮＢ１はＵＥが自セルへＨＯした際、接続設定信号（ＲＲＣＣｏｎｎｅｃｔｉｏｎＳｅｔｕｐ）をＵＥに送信する。同時に、ｅＮＢ１はタイマーを起動する。
（２）ＵＥがｅＮＢ２へＨＯすることに伴い、ｅＮＢ１はｅＮＢ２にハンドオーバー要求（ＨＡＮＤＯＶＥＲ  ＲＥＱＵＥＳＴ）を送信する。同時に、ｅＮＢ１はタイマーを停止する。
（３）当該タイマー値（ｔ１）が所定の閾値（Ｔｔｈ）より小さい場合、ｅＮＢ１は高速ＵＥを検出したと見なし、カウンターをインクリメントする。
（４）当該カウンター値が単位時間内に所定の値に達した場合、ｅＮＢ１は下り送信信号出力を下げる。
（５）当該カウンター値が単位時間内に所定の値に達しなかった場合、ｅＮＢ１は下り送信信号出力を初期値に戻す。
【００４２】
上記図８及び図９の制御例によれば、スモールセル基地局２０の基地局装置２００が従来のオフセット（Ｏｃｎ）の調整に加えて、下りリンクの送信電力の設定を下げるように制御している。これにより、屋外への電波漏洩による誤ハンドオーバー（ＨＯ）の発生すなわちＵＥ（ユーザ装置）３０の頻繁なハンドオーバーの発生を確実に防ぎ、ハンドオーバーの成功率を上げることができる。
特に、上記図８及び図９の制御例によれば、ＨＯ失敗が発生しなくても高速ＵＥの検出が可能である。
【００４３】
なお、上記図８及び図９の制御例の手順（１）において、ｅＮＢ１からＵＥへの接続設定信号（ＲＲＣＣｏｎｎｅｃｔｉｏｎＳｅｔｕｐ）の代わりに、ＵＥがＲＲＣ  Ｃｏｎｎｅｃｔｉｏｎ  Ｓｅｔｕｐが完了した後にｅＮＢ１へ送信する接続設定完了信号（ＲＲＣＣｏｎｎｅｃｔｉｏｎＣｏｍｐｌｅｔｅ）で代用してもよい。
また、上記図８及び図９の制御例の手順（３）において、上記タイマー値（ｔ１）が所定の閾値（Ｔｔｈ）以下の場合に、ｅＮＢ１は高速ＵＥを検出したと見なし、カウンターをインクリメントしてもよい。
また、上記手順（４）において、上記カウンター値が単位時間内に所定の値よりも大きくなった場合に、ｅＮＢ１は下り送信信号出力を下げるようにし、当該カウンター値が単位時間内に所定の値以下になった場合に、下りリンクの送信電力（下り送信信号出力）の設定を初期値に戻すようにしてもよい。
また、上記図８及び図９の制御例において、上記タイマーを用いずに、上記時間間隔ｔ［ｓｅｃ］が予め設定した閾値Ｔｔｈ［ｓｅｃ］より小さい又は閾値Ｔｔｈ［ｓｅｃ］以下の場合に、下りリンクの送信電力（下り送信信号出力）の設定を下げるようにしてもよい。
【００４４】
また、上記実施形態１（図６及び図７の制御例）及び上記実施形態２（図８及び図９の制御例）はそれぞれ、上記オフセット（Ｏｃｎ）の調整を行わないで実行してもよい。
また、上記実施形態１（図６及び図７の制御例）と上記実施形態２（図８及び図９の制御例）とを組み合わせて実行するようにしてもよい。
【００４５】
〔実施形態３〕
図１０は、従来の移動通信システムに適用可能な負荷分散機能（ＭＬＢ）を示す説明図である（非特許文献３参照）。この負荷分散機能（ＭＬＢ）は、例えばマクロセル１０Ａ内の配置されているスモールセル基地局２０のスモールセルにおけるトラフィックが高くなってスモールセル基地局２０が高負荷になったとき、スモールセル基地局２０においてハンドオーバー関連のパラメータを変更し、スモールセル２０Ａの有効セル半径を狭くする機能である。これにより、スモールセル２０Ａのセルエッジに位置するユーザ装置（ＵＥ）３０をマクロセル（隣接セル）１０Ａへハンドオーバー（ハンドアウト）させ、スモールセル基地局２０の負荷を下げることができる。
しかしながら、以下に示すように、上記負荷分散機能（ＭＬＢ）を適用した場合、本来各基地局の受信信号レベルに応じて適切に在圏させているＵＥを強制的にハンドアウトさせると、ハンドアウト後のＵＥは高い干渉を受けることとなる。更に、スモールセル２０Ａの中心にＵＥが集中した場合は、上記負荷分散機能（ＭＬＢ）を適用しても、マクロセル（隣接セル）１０Ａへハンドオーバー（ハンドアウト）させることができず、スモールセル基地局２０の負荷を下げることができない。
【００４６】
図１１（ａ）〜（ｃ）は上記負荷分散機能（ＭＬＢ）を適用する場合の課題を説明するための説明図である。図中の横軸は、マクロセル基地局（ｅＮＢ１）１０とスモールセル基地局（ｅＮＢ２）２０との間の位置を示し、縦軸は、各基地局から送信された下りリンクの送信信号をＵＥ３０が受信した信号強度であるパイロット信号電力（ＲＳＲＰ）又は信号品質であるパイロット信号品質（ＲＳＲＱ）である。
【００４７】
図１１（ａ）はスモールセル基地局２０の負荷が小さい場合の説明図である。前述のとおりＵＥにおけるＲＳＲＰ／ＲＳＲＱに基づいてハンドオーバーの実行が判断されるため、ＵＥはＲＳＲＰ／ＲＳＲＱが高いセル（図示の場合はスモールセル２０Ａ）に在圏する。
図１１（ｂ）はスモールセル基地局２０の負荷が大きくなった場合の説明図である。スモールセル２０Ａに在圏するＵＥが増えてスモールセル基地局２０の負荷が大きくなったとき、上記負荷分散機能（ＭＬＢ）されると、ＨＯラインがスモールセル基地局２０側に変化する。これにより、セルエッジに在圏していたＵＥ３０は、スモールセル基地局２０からの信号のＲＳＲＰ／ＲＳＲＱが高いにもかかわらず、マクロセル１０Ａに強制的にハンドアウトされる。すると、ハンドアウト後のＵＥ３０はスモールセル２０Ａから高い干渉を受ける。
図１１（ｃ）はスモールセル基地局２０の近くに在圏するＵＥが増えて負荷が大きくなった場合の説明図である。この場合は、ハンドオーバーのオフセット（Ｏｃｎ）を許容最大まで大きくしてＨＯラインをスモールセル基地局２０に限界まで移動させても、スモールセル基地局２０の近くに在圏する多数のＵＥ３０をマクロセル１０Ａにハンドアウトさせることができない。そのため、スモールセル基地局２０における負荷増大を解消することができない。
【００４８】
そこで、本実施形態に係るスモールセル基地局２０の基地局装置２００では、以下に示すように、上記負荷分散機能（ＭＬＢ）の実行時に、ハンドオーバーのオフセット（Ｏｃｎ）の調整とともに下りリンクの送信電力の設定を下げるように制御することにより、高負荷のスモールセルからハンドアウトしたＵＥ３０への干渉を低減するとともに、適切な負荷分散を実現している。
【００４９】
図１２は、本発明の第３の実施形態に係る負荷分散機能（ＭＬＢ）の実行時における下りリンクの送信電力の制御例を示す説明図である。図１３は、同下りリンクの送信電力の制御例を示すフローチャートである。なお、図１２及び図１３において、基地局ｅＮＢ１がマクロセル基地局１０であり、基地局ｅＮＢ２がスモールセル基地局２０である。
【００５０】
本制御例では、次の手順（１）〜（７）に示すように負荷分散機能（ＭＬＢ）の実行時に下りリンクの送信電力を制御する。
（１）ｅＮＢ２は、リソースステータス報告手順（Resource Status Reporting Procedure）を開始する。具体的には、隣接セルのｅＮＢ１にリソースステータス報告要求（Resource Status Reporting Request）を送信し、当該ｅＮＢ１からのリソースステータス応答（Resource Status Response）の受信をもって、本リソースステータス報告手順の開始とする（ＳＴ０１）。
（２）タイマーおよび当該ｅＮＢ２の負荷状況を示すカウンタ（ｎ）を初期化する（ＳＴ０２）。
（３）自セルの負荷情報Ｌ１（無線リソース使用率など）を取得する。同時に、隣接セルから受信したリソースステータス更新（Resource Status Update）により、隣接セルの負荷情報Ｌ２を取得する（ＳＴ０３）。ここで、隣接セルの負荷情報Ｌ２は、例えば図１４に示す基地局間のＸ２インターフェースを介した通信制御手順（Resource Status Reporting Initiation Procedure）により取得することができる（非特許文献４参照）。
（４）Ｌ１とＬ２の差（Ｌ１−Ｌ２）が所定の閾値Ｔｉｎｃ以上の場合、すなわち自セルの負荷Ｌ１が隣接セルの負荷Ｌ２より高い場合、カウンタ（ｎ）をインクリメントする（ＳＴ０４，０５）。
（５）Ｌ２とＬ１の差（Ｌ２−Ｌ１）が所定の閾値Ｔｄｅｃ以上の場合、すなわち隣接セルの負荷Ｌ２が自セルの負荷Ｌ１より高い場合、カウンタ（ｎ）をデクリメントする（ＳＴ０６，０７）。
（６）上記（３）〜（５）をタイマーが満了するまで繰り返す（ＳＴ０８）。
（７）タイマー満了後、カウンタ（ｎ）の値をチェックする（ＳＴ０９）。カウンタ（ｎ）が所定の閾値（Ｎｉｎｃ）より大きい場合、ハンドオーバーのオフセットＯｃｎを増加するとともに、下りリンクの送信電力Ｐｏｕｔの設定を下げる（ＳＴ１０）。また、カウンタ（ｎ）が別の閾値（Ｎｄｅｃ）より小さい場合、ハンドオーバーのオフセットＯｃｎを減少させるとともに、下りリンクの送信電力Ｐｏｕｔの設定を上げる（ＳＴ１１）。
【００５１】
上記図１２及び図１３の制御例によれば、スモールセル基地局（ｅＮＢ２）２０の基地局装置２００が、ハンドオーバーのオフセットＯｃｎを増加させる負荷分散機能（ＭＬＢ）の実行時に下りリンクの送信電力Ｐｏｕｔの設定を下げるように制御している。これにより、高負荷のスモールセル２０ＡからハンドアウトしたＵＥ３０への干渉を低減するとともに、適切な負荷分散を実現することができる。
【００５２】
なお、上記図１２及び図１３の制御例の手順（４）において、Ｌ１とＬ２の差（Ｌ１−Ｌ２）が所定の閾値Ｔｉｎｃよりも大きい場合に、自セルの負荷Ｌ１が隣接セルの負荷Ｌ２より高いと判断し、カウンタ（ｎ）をインクリメントするように制御してもよい。
また、上記手順（５）において、Ｌ２とＬ１の差（Ｌ２−Ｌ１）が所定の閾値Ｔｄｅｃよりも大きい場合に、隣接セルの負荷Ｌ２が自セルの負荷Ｌ１より高いと判断し、カウンタ（ｎ）をデクリメントするように制御してもよい。
また、上記手順（７）において、カウンタ（ｎ）が所定の閾値（Ｎｉｎｃ）以上の場合に、ハンドオーバーのオフセットＯｃｎを増加するとともに、下りリンクの送信電力Ｐｏｕｔの設定を下げるように制御してもよい。また、カウンタ（ｎ）が別の閾値（Ｎｄｅｃ）以下の場合に、ハンドオーバーのオフセットＯｃｎを減少させるとともに、下りリンクの送信電力Ｐｏｕｔの設定を上げるように制御してもよい。
【００５３】
〔実施形態４〕
図１５は、本発明の第４の実施形態に係る負荷分散機能（ＭＬＢ）の実行時における下りリンクの送信電力の制御例を示すフローチャートである。なお、図１３のフローチャートと共通する部分については説明を省略する。図１５の制御例では、ＳＴ１０および１１において、ハンドオーバーのオフセットＯｃｎは調整せずに、下りリンクの送信電力Ｐｏｕｔの設定のみ調整している。図１５の制御例においても、高負荷のスモールセル２０ＡからハンドアウトしたＵＥ３０への干渉を低減するとともに、適切な負荷分散を実現することができる。
【００５４】
〔実施形態５〕
図１６は、本発明の第５の実施形態に係る負荷分散機能（ＭＬＢ）の実行時における下りリンクの送信電力の制御例を示すフローチャートである。なお、図１３のフローチャートと共通する部分については説明を省略する。図１６の例御例では、ＳＴ１０および１１において、ハンドオーバーのオフセットＯｃｎの値を優先的に調整し、そのＯｃｎの値が予め設定されている最大値又は最小値に達した後、下りリンクの送信電力Ｐｏｕｔの設定の調整を行っている。図１６の制御例においても、高負荷のスモールセル２０ＡからハンドアウトしたＵＥ３０への干渉を低減するとともに、適切な負荷分散を実現することができる。
【００５５】
なお、上記実施形態３〜５では上記負荷分散機能（ＭＬＢ）の実行時における下りリンクの送信電力の制御をスモールセル基地局２０の基地局装置２００で行う場合について説明したが、マクロセル基地局１０の基地局装置で同様な制御を行うようにしてもよい。
【符号の説明】
【００５６】
１０  マクロセル基地局（周辺基地局）
１０Ａ  マクロセル
２０  スモールセル基地局
２０Ａ  スモールセル
３０  ユーザ装置（移動局）
【先行技術文献】
【非特許文献】
【００５７】
【非特許文献１】3GPP TS 36.300 "Evolved Universal Terrestrial Radio Access (E-UTRA)and Evolved Universal Terrestrial Radio Access Network(E-UTRAN); Overall description; Stage 2; Protocol specification" V9.10.0, 10章
【非特許文献２】3GPP TS 36.331 "Evolved Universal Terrestrial Radio Access (E-UTRA); Radio Resource Control (RRC); Protocol specification" V9.18.0, 5.5.4.4章
【非特許文献３】3GPP TS36.902 "Evolved Universal Terrestrial Radio Access Network (E-UTRAN); Self-configuring and self-optimizing network (SON) use cases and solutions" v9.3.1, 4.6章
【非特許文献４】3GPP TS 36.423 "Evolved Universal Terrestrial Radio Access Network (E-UTRAN); X2 application protocol (X2AP); Protocol specification" V9.6.0, 8.3.6章
【図１】
2016111462.tif 000004
【図２】
2016111462.tif 000005
【図３】
2016111462.tif 000006
【図４】
2016111462.tif 000007
【図５】
2016111462.tif 000008
【図６】
2016111462.tif 000009
【図７】
2016111462.tif 000010
【図８】
2016111462.tif 000011
【図９】
2016111462.tif 000012
【図１０】
2016111462.tif 000013
【図１１】
2016111462.tif 000014
【図１２】
2016111462.tif 000015
【図１３】
2016111462.tif 000016
【図１４】
2016111462.tif 000017
【図１５】
2016111462.tif 000018
【図１６】
2016111462.tif 000019
【手続補正書】
【提出日】平成28年3月2日(2016.3.2)
【手続補正１】
【補正対象書類名】特許請求の範囲
【補正対象項目名】全文
【補正方法】変更
【補正の内容】
【特許請求の範囲】
【請求項１】
移動通信システムにおける移動局と無線通信を行うようにマクロセル内に配置されたスモールセル基地局に設けられる基地局装置であって、
移動局が該マクロセルからスモールセルへハンドインする際にマクロセル基地局からハンドオーバー要求を受信したタイミングと該スモールセルへのハンドオーバーが失敗した旨の情報を該マクロセル基地局から受信したタイミングとの間の時間間隔を測定する測定手段と、
前記測定手段で測定した前記ハンドオーバー要求を前記マクロセル基地局から受信したタイミングと前記スモールセルへのハンドオーバーが失敗した旨の情報を前記マクロセル基地局から受信したタイミングとの間の時間間隔に基づいて、当該スモールセル基地局からの下りリンクの送信電力の設定を下げるように制御する制御手段と、を備えることを特徴とする基地局装置。
【請求項２】
移動通信システムにおける移動局と無線通信を行うようにマクロセル内に配置されたスモールセル基地局に設けられる基地局装置であって、
移動局が該マクロセルからスモールセルへハンドインした際に接続設定信号を該移動局に送信したタイミングと該移動局の該スモールセルからのハンドアウトに伴ってハンドオーバー要求をマクロセル基地局に送信したタイミングとの間の時間間隔を測定する測定手段と、
前記測定手段で測定した前記接続設定信号を前記移動局に送信したタイミングと前記ハンドオーバー要求を前記マクロセル基地局に送信したタイミングとの間の時間間隔に基づいて、当該スモールセル基地局からの下りリンクの送信電力の設定を下げるように制御する制御手段と、を備えることを特徴とする基地局装置。
【請求項３】
請求項１又は２の基地局装置であって、
前記制御手段は、前記時間間隔が予め設定した閾値より小さい又は該閾値以下の場合に、前記下りリンクの送信電力の設定を下げるように変更することを特徴とする基地局装置。
【請求項４】
請求項１又は２の基地局装置であって、
前記制御手段は、前記時間間隔が予め設定した閾値より小さい又は該閾値以下になったことが、予め設定した所定時間の間に所定回数よりも多く又は所定回数以上発生したと判断した場合に、前記下りリンクの送信電力の設定を下げるように変更することを特徴とする基地局装置。
【請求項５】
請求項４の基地局装置であって、
前記制御手段は、前記時間間隔が予め設定した閾値より小さい又は該閾値以下になったことが、前記所定時間の間に前記所定回数よりも少なくなったときに、前記下りリンクの送信電力の設定を初期値に戻すことを特徴とする基地局装置。
【請求項６】
請求項１乃至５のいずれかの基地局装置であって、
前記制御手段は、前記下りリンクの送信電力の設定を下げるとともに、前記スモールセルから前記マクロセルへのハンドアウトを遅らせるように該スモールセルから該マクロセルへのハンドオーバーのオフセットの設定を変更することを特徴とする基地局装置。
【手続補正２】
【補正対象書類名】明細書
【補正対象項目名】０００４
【補正方法】削除
【補正の内容】
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】変更
【補正の内容】
【０００７】
本発明によれば、下りリンクの送信電力（送信出力）を適切に設定し、移動局（ユーザ装置）の頻繁なハンドオーバーの発生を防止することができるという効果を奏する。